(57)【要約】【課題】アームを十分に引き出せるようにしても、収納時にアームが台座から突出しないようにして、その見栄えや使い勝手を好適に向上させる。【解決手段】台座１から相反する方向へ突没可能なように台座１に一対のアーム６を設け、これらのアーム６の基端側を台座１内において同期機構７を介し連動させて、両アーム７の先端側を台座１から引き出し、アーム７の先端側に起立させて設けた起立片６０間に紙を挟んで紙のセンターの割り出しを行うものである。そして、同期機構７を、台座１のセンターＣから各アーム６の突没方向へそれぞれ偏位した位置に設けた一対のピニオンギア７１と、これらのピニオンギア７１の間を同期作動可能に関連づける中間ギア７２とから構成し、各ピニオンギア７１を各々対応するアーム６に設けたラック歯６１に係わり合わせて両アーム６の突没動作が同期して引き起こされるようにした。【選択図】図３
2004009232.tif 000002
【特許請求の範囲】
【請求項１】
台座から相反する方向へ突没可能なように当該台座に一対のアームを設け、これらのアームの基端側を台座内において同期機構を介し連動させて、両アームの先端側を台座から引き出し、アームの先端側に起立させて設けた起立片間に紙を挟んで紙のセンターの割り出しを行うものにおいて、
前記同期機構を、台座のセンターから各アームの突没方向へそれぞれ偏位した位置に設けた一対の回転子と、これらの回転子の間を同期作動可能に関連づける同期子とから構成し、前記各回転子を各々対応するアームに係わり合わせて両アームの突没動作が同期して引き起こされるようにしたことを特徴とするセンターゲージ。
【請求項２】
回転子がアームとの間にラック・ピニオン機構を構成するピニオンギアであり、同期子が両ピニオンギアの間に介在する中間ギア若しくは中間ギア列である請求項１記載のセンターゲージ。
【請求項３】
同期子が、両ピニオンギアの間にあってそれらのピニオンギアに軸心を挟んだ対向位置で直接噛み合う単一の中間ギアである請求項１記載のセンターゲージ。
【請求項４】
ピニオンギア及び中間ギアの軸心がアームの突没方向に対して僅かに角度をもった直線上に配列されている請求項３記載のセンターゲージ。
【請求項５】
台座が、穴開け機能を有するパンチの台座である請求項１〜４記載のセンターゲージ。
【発明の詳細な説明】
【０００１】
【発明の属する技術分野】
本発明は、穴開け用のパンチ等に付帯して紙のセンターの割り出しに利用されるセンターゲージに関するものである。
【０００２】
【従来の技術】
例えば、穴開け用のパンチは、綴じ込み用の穴を穿孔することが主な目的であるから、その穴の位置は常に一定である必要がある。そこで、従来よりこの種のパンチには、紙の束を載せる台座に、紙のセンターの割り出しを行うセンターゲージを付帯させているのが通例である。
【０００３】
そして、この種のセンターゲージとして、台座から相反する方向へ突没可能に一対のアームを設け、これらのアームの基端側を台座内において同期機構を介し連動させて、両アームの先端側を台座から引き出し、アームの先端側に起立させて設けた起立片間に紙を挟んで紙のセンターの割り出しを行うようにしたものが考えられている。
【０００４】
【発明が解決しようとする課題】
ところが、かかる同期機構は、台座のセンターにピニオンギアを設け、各アームの基端側をラック・ピニオン構造の下にこのピニオンギアの軸心を挟んだ対向位置にそれぞれ噛み合わせて、ピニオンギアにより両アームの突没動作を同期させるようにしている。
【０００５】
このため、アームにある一定の引き出し量を確保したい場合、引き出し位置においてもアームがピニオンギアに噛み合っていなければならない事を考えると、アームには、その引き出し量に台座のセンターから側縁までの距離を加えた寸法以上の長さのものを採用しなければならない。
【０００６】
しかしながら、このようにすると、収納時にはアームのほぼ全長が台座内に入り込むため、通常必要とされる規格の紙に適用すると、アームの基端が台座の反対側の側縁から側方に突出してしまい、見栄えが悪いだけでなく、周囲の物品との干渉や、収納・梱包時の嵩張りの原因になるという不具合がある。
【０００７】
本発明は、このような課題に着目してなされたものであって、その目的とするところは、アームを十分に引き出せるようにしても、収納時にアームが台座から突出しないようにして、その見栄えや使い勝手を好適に向上させることにある。
【０００８】
【課題を解決するための手段】
本発明は、かかる目的を達成するために、次のような構成を採用したものである。
【０００９】
すなわち、本発明のセンターゲージは、台座から相反する方向へ突没可能なように当該台座に一対のアームを設け、これらのアームの基端側を台座内において同期機構を介し連動させて、両アームの先端側を台座から引き出し、アームの先端側に起立させて設けた起立片間に紙を挟んで紙のセンターの割り出しを行うにあたり、前記同期機構を、台座のセンターから各アームの突没方向へそれぞれ偏位した位置に設けた一対の回転子と、これらの回転子の間を同期作動可能に関連づける同期子とから構成し、前記各回転子を各々対応するアームに係わり合わせて両アームの突没動作が同期して引き起こされるようにしたことを特徴とする。
【００１０】
このようにすれば、アームの引き出し位置において該アームの基端が台座内において回転子に係わっているために必要とされる距離が短くなるので、引き出し量を比較的多くとっても、アーム全体を台座内に収納したときにアームの基端が台座の反対側の側縁から突出する不具合を効果的に解消することができる。
【００１１】
具体的な実施の態様としては、回転子がアームとの間にラック・ピニオン機構を構成するピニオンギアであり、同期子が両ピニオンギアの間に介在する中間ギア若しくは中間ギア列であるものが挙げられる。
【００１２】
簡素な構造としては、同期子が、両ピニオンギアの間にあってそれらのピニオンギアに軸心を挟んだ対向位置で直接噛み合う単一の中間ギアであるものが望ましい。
【００１３】
この場合、ピニオンギア及び中間ギアの軸心がアームの突没方向に対して僅かに角度をもった直線上に配列されていることが好都合である。
【００１４】
本発明は、以上のような構成であるから、的確な位置決めを必要とされるパンチの台座に付帯させて使用する際に極めて有用なものとなる。
【００１５】
【発明の実施の形態】
以下、本発明の一実施形態を、図面を参照して説明する。
【００１６】
図１は、この実施形態のセンターゲージが適用されたパンチを示している。このパンチは、台座１と、この台座１の上端（紙を挿し込む方向）側より一体に立ち上がる保持構体２と、この保持構体２内に昇降可能に収容されてパンチング軸（図示省略）を保持する軸ホルダー４と、前記保持構体２の上端側に基端側を回転可能に支持させた操作ハンドル５とを具備し、保持構体２内にあって操作ハンドル５の回転操作に軸ホルダー４の昇降動作を連動させるようにしている。
【００１７】
台座１は、保持構体２及びその付属物である操作ハンドル５等を支持するに足る剛性を有した中空厚板状のもので、上面を紙の載置面１ａとして設定されているとともに、その上端近傍部におけるパンチング軸の対応２ヶ所に、同パンチング軸の刃先を受ける樹脂製の円形マット１１を上面を載置面１ａと略面一にした状態で埋設するようにしている。
【００１８】
保持構体２は、台座１に接地する部分に対して、軸ホルダー４の収納部、操作ハンドル５の取付部等を前方（すなわち載置面１ａ側）に持ち出しているもので、そのオーバーハングした部分の下面２ａと、台座１の上面１ａとの間に、紙の束の上端側を差し込むようにしている。
【００１９】
このような構成において、本実施形態は、前記台座１として、図２及〜図５に示すセンターゲージＡを組み込んだ台座１を使用するようにしている。なお、図３及び図４は台座１の一部を構成する蓋を撤去して内部を見せたものであり、図において網掛けｘを付している部分は他の部分よりも上方へ突出した位置にある。
【００２０】
センターゲージＡは、台座１から相反する方向へ突没可能なように当該台座１に一対のアーム６を設け、これらのアーム６の基端側を台座１内に設けた同期機構７を介し連動させて、両アーム６の先端側を台座１から引き出し、アーム６の先端側に起立させて設けた起立片６０間に紙を挟んで紙のセンターの割り出しを行うようにしている。
【００２１】
同期機構７は、台座１のセンターＣから各アーム６の突没方向へそれぞれ偏位した位置に設けた一対の回転子たるピニオンギア７１と、これらのピニオンギア７１の間を同期作動可能に関連づける同期子たる中間ギア７２とからなり、各ピニオンギア７１を各々対応するアーム６に設けたラック歯６１に噛み合わせることによりラック・ピニオン機構を構成して、両アーム６の突没動作が同期して引き起こされるようにしている。
【００２２】
より具体的には、中間ギア７２は、両ピニオンギア７１の間にあってそれらのピニオンギア７１に対しそれぞれ軸心ｍを挟んだ対向位置で直接噛み合う単一のものであり、ピニオンギア７１及び中間ギア７２の軸心がアーム６の突没方向に対して僅かに角度αをもった直線Ｌ上に概ね連ねて配列されている。この場合、中間ギア７２の軸心ｍは台座１のセンターＣ上にある。
【００２３】
一方、前述したアーム６の形態は、互いに突没方向と直交する方向（紙を抜き差しする方向）に離間して配置され先端側を鉛直壁６２を介して相互に連結された２本の短冊状をなすアーム本体６ａ、６ｂから構成されている。
【００２４】
アーム本体６ａ、６ｂは、単体による支持幅ｄは２〜３ｃｍ程度に過ぎないものの、これら一対のアーム本体６ａ、６ｂからなるアーム６の支持幅Ｄはその間の離間隙間を含めて実質的に１０ｃｍ程度に拡張され、広い面で紙を支持できるものとなっている。
【００２５】
各アーム６は、平面視コ字形をなす共通のアーム部材を１８０°回転させ、突没方向と直交する方向（台座１のセンター線方向）に若干位相をずらせて同一平面内に対向配置し、それらのアーム本体６ａ、６ａ間、６ａ、６ｂ間、６ｂ、６ｂ間の干渉を回避している。すなわち、互いに一方のアーム本体６ａが他方のアーム本体６ａ、６ｂ間の離間隙間に挿入される位置関係をなしている。各アーム６の他方のアーム本体６ｂは、図３、図４に網掛けを付した突出部によって形成されるレール部１Ｒにガイドされている。アーム本体６ｂの先端には突出部６４が設けてあり、引き出し端でこの突出部６４がレール１Ｒの一部に設けた段部ｒに突き当たって抜け止めが図られている。すなわち、アーム６は、図３の引き出し位置から、鉛直壁６２の内面を台座１の側壁１ｂに設けた凹部１ｃに一部嵌め入れつつ当接する図４の位置まで移動可能とされ、ラック歯６１はこの間においてピニオンギア７１に常に噛み合っているために必要かつ十分な長さが与えられている。このラック歯６１は、一方のアーム本体６ａの長手方向に沿った縁部に垂設した垂下壁の内面に設けられている。
【００２６】
また、アーム本体６ａの先端側を連結する鉛直壁６２には、その肉厚内に上方に開口する収納空間６２ａが設けてあり、この収納空間６２ａ内に、前述した紙を挟むための起立片６０を軸ｎにより軸着して収容している。図３、図４は収納空間内に埋没した起立片６０を塗りつぶして示しており、図５はこれを破線で示している。この状態から起立片６０を軸ｎ回りに図５中矢印Ｆで示すように略１８０°回転させると、該起立片６０を図２アーム６の上面よりも上方へ突出した位置に引き出すことができる。収納位置と引き出し位置には、起立片６０に設けた爪６０ａを係合させる凹部６２ａが設けてある。アーム６同士は位相がずらしてあるが、引き出した起立片６０同士は位相を一致させて相対するように、各々の鉛直壁６２への軸着位置が設定されている。また、引き出した起立片６０の外側には、前記鉛直壁６２より外方に向けて操作摘み６３が水平に突設されている。
【００２７】
以上のように、本実施形態のセンターゲージＡは、台座１から相反する方向へ突没可能なように当該台座１に一対のアーム６を設け、これらのアーム６の基端側を台座１内において同期機構７を介し連動させて、両アーム６の先端側を台座１から引き出し、アーム６の先端側に起立させて設けた起立片６０間に紙を挟んで紙のセンターの割り出しを行うようにしたものである。そして、その同期機構７を、台座１のセンターから各アーム６の突没方向へそれぞれ偏位した位置に設けた一対の回転子たるピニオンギア７１と、これらのピニオンギア７１の間を同期作動可能に関連づける同期子たる中間ギア７２とから構成し、各中間ギア７２を各々対応するアーム６に係わり合わせて両アーム６の突没動作が同期して引き起こされるようにしたものである。
【００２８】
このようにすれば、中間ギアをセンターに設けてアームを係わり合わせる場合に比べて、アーム６の引き出し位置において該アーム６の基端が台座１内においてピニオンギア７１に係わっているために必要とされる距離が短くなるので、引き出し量を比較的多くとっても、アーム６全体を台座１内に収納したときにアーム６の基端が台座１の反対側の側縁から突出する不具合を効果的に解消することができる。このため、収納時の見栄えを良好なものにすることができ、周囲の物品との干渉や、収納・梱包時の嵩張りの原因となることを有効に回避することが可能となる。
【００２９】
具体的な構成としては、回転子にピニオンギア７１を用い、同期子に両ピニオンギア７１の間に介在する中間ギア７２を用いているため、作動が確実であり、正確なセンター割り出しの機能を付与することができる。
【００３０】
特に、中間ギア７２を単一とし、これを両ピニオンギア７１の間にあってそれらのピニオンギア７１に軸心を挟んだ対向位置で直接噛み合わせているため、構造が簡素で同期も確実になり、耐久性も確保することができる。
【００３１】
この場合、ピニオンギア７１及び中間ギア７２の軸心がアーム６の突没方向に対して僅かに角度αをもった直線上に配列しているめ、これらのギア列に対しアーム６の一方のラック歯６１を対応する同方のピニオンギア７１にのみ噛み合わせるという構造を的確に実現することができる。
【００３２】
本実施形態は、以上のような構成であるから、的確な位置決めを必要とされるパンチの台座に付帯させて使用するセンターゲージＡとして極めて有用なものとなり得る。
【００３３】
なお、各部の具体的な構成は、上述した実施形態のみに限定されるものではなく、本発明の趣旨を逸脱しない範囲で種々変形が可能である。例えば、ラックピニオン構造以外にも、的確な動力伝達ができれば回転子や同期子に別のものを用いてもよい。また、事情が許せば、同期子として、複数の中間ギアからなるギア列よって構成することを妨げるものではない。
【００３４】
【発明の効果】
以上説明したように、本発明によれば、アームを十分に引き出せるようにしても、収納時にアームが台座から大幅に突出しないセンターゲージを実現することができ、これにより、このセンターゲージが適用されるパンチその他の機器の見栄えや使い勝手を好適に向上させることが可能となる。
【図面の簡単な説明】
【図１】本発明の一実施形態に係るセンターゲージを適用したパンチの斜視図。
【図２】同部分拡大斜視図。
【図３】同一部省略した平面図。
【図４】同一部省略した平面図。
【図５】同側面図。
【符号の説明】
１…台座
６…アーム
７…同期機構
６０…起立片
７１…回転子（ピニオンギア）
７２…同期子（中間ギア）
【図１】
2004009232.tif 000003
【図２】
2004009232.tif 000004
【図３】
2004009232.tif 000005
【図４】
2004009232.tif 000006
【図５】
2004009232.tif 000007